(57)【要約】【課題】次に内容液を吐出させる際に、キャップの天面部に液溜めされた内容液が、キャップの外周部分を伝って流れるのを回避できる吐出ノズル付きキャップを提供する。【解決手段】吐出ノズル部１９は、吐出孔１２が形成された天面部１９ｂと、天面部１９ｂの周囲を囲む外周壁部１３ａとを備えると共に、容器本体２２の口首部２１の先端開口２１ａを覆う開口閉塞部１１に設けられている。吐出孔１２は、外周壁部１９ａの先端よりも高い位置に先端吐出口１２ａを開口させており、天面部１９ｂの外周縁部は、外周壁部１９ａに、当該外周壁部１９ａの先端よりも低い位置において連続していることで、外周壁部１９ａにおける天面部１９ｂの外周縁部よりも高くなっている部分が、液溜め壁を形成している。外周壁部１９ａの外周面には、外周壁部１９ａの先端から離間して、周方向に延設するフランジ２６が、外側に突出して設けられている。【選択図】図６
2019104512.tif 000002
【特許請求の範囲】
【請求項１】
吐出ノズル部を備えており、容器本体の口首部に取り付けて用いられる吐出ノズル付きキャップであって、
前記吐出ノズル部は、吐出孔が形成された天面部と、該天面部の周囲を囲む外周壁部とを備えると共に、前記容器本体の口首部の先端開口を覆う開口閉塞部に設けられており、
前記吐出孔は、前記外周壁部の先端よりも高い位置に先端吐出口を開口させており、
前記天面部の外周縁部は、前記外周壁部に、当該外周壁部の先端よりも低い位置において連続していることで、前記外周壁部における前記天面部の外周縁部よりも高くなっている部分が、液溜め壁を形成しており、
前記外周壁部の外周面に、周方向に延設するフランジが、外側に突出して設けられている吐出ノズル付きキャップ。
【請求項２】
前記開口閉塞部の外周面には、前記フランジよりも前記容器本体側に、前記吐出ノズル部を覆うオーバーキャップを着脱可能に螺着させるための、雄ネジ凸条が設けられている請求項１記載の吐出ノズル付きキャップ。
【請求項３】
前記フランジよりも前記容器本体側に、前記外周壁部より大きな外径を備える円筒状基部を有しており、該円筒状基部に、前記雄ネジ凸条が設けられている請求項２記載の吐出ノズル付きキャップ。
【請求項４】
前記フランジは、前記外周壁部において、前記天面部の外周縁部が接続する高さ位置よりも、前記容器本体側に設けられている請求項１〜３のいずれか１項記載の吐出ノズル付きキャップ。
【請求項５】
前記吐出ノズル部の前記天面部に、複数の吐出孔が形成されている請求項１〜４のいずれか１項記載の吐出ノズル付きキャップ。
【請求項６】
前記複数の吐出孔は、前記天面部に列状に配置されて形成されている請求項５記載の吐出ノズル付きキャップ。
【請求項７】
前記フランジは、前記外周壁部の周方向に環状に連続して設けられている請求項１〜６のいずれか１項記載の吐出ノズル付きキャップ。
【請求項８】
前記フランジは、エッジ状の角部を備える断面形状を有している請求項１〜７のいずれか１項記載の吐出ノズル付きキャップ。
【請求項９】
前記天面部は、前記外周縁部の前記外周壁部に連続する最も低い位置に線状円環状領域を有しており、前記外周壁部は、前記線状円環状領域から前記外周壁部の頂部に向かって徐々に高くなる傾斜面を備えている請求項１〜８のいずれか１項記載の吐出ノズル付きキャップ。
【請求項１０】
請求項１〜９のいずれか１項記載の吐出ノズル付きキャップが、容器本体の口首部に装着されている吐出ノズル付き容器。
【請求項１１】
前記容器本体が、胴部を押圧することで内容液を吐出させるスクイズ容器の容器本体である請求項１０記載の吐出ノズル付き容器。
【請求項１２】
請求項１０又は１１記載の吐出ノズル付き容器に、内容液が収容されている容器製品。
【発明の詳細な説明】
【技術分野】
【０００１】
本発明は、吐出ノズル付きキャップに関し、具体的には、容器本体の口首部に取り付けて用いられる、吐出ノズル部を備える吐出ノズル付きキャップに関する。
【背景技術】
【０００２】
容器本体に収容した内容液を吐出ノズル部から吐出させる吐出容器として、例えばスクイズ容器が知られている。スクイズ容器は、内容液が収容された、例えば可撓性を有する合成樹脂製のボトル形状の容器本体を傾倒させると共に、容器本体の口首部に取り付けられたキャップの先端の吐出孔を吐出箇所に向けた状態で、容器本体の胴部を押圧することにより、内部の圧力を高めて、内容液を吐出孔の先端吐出口から線状に連続吐出させることが可能である。
【０００３】
また、スクイズ容器等の吐出容器に取り付けられるキャップとして、容器本体の口首部の先端開口を覆う閉塞部に設けられた吐出ノズル部に、複数の吐出孔を形成することで吐出箇所への吐出領域を広げて、より広い面積の吐出箇所に対しても内容液を効率良く吐出できるようにした吐出ノズル付きキャップも開発されている（例えば、特許文献１参照）。特許文献１の吐出ノズル付きキャップでは、キャップの天面部から突出して設けられた、内部に流路状の吐出孔を備える複数のノズル筒から、内容液を線状に連続吐出させるようになっている。
【先行技術文献】
【特許文献】
【０００４】
【特許文献１】特開２０１１−２５１６９９号公報
【特許文献２】特開２００１−１８０７１５号公報
【発明の概要】
【発明が解決しようとする課題】
【０００５】
吐出ノズル部を備える従来の吐出ノズル付きキャップでは、特に吐出孔が、キャップの天面部から突出するノズル筒の内部に設けられた流路状の吐出孔である場合、吐出孔を介して内容液を吐出した後に、吐出を終了して吐出容器を正立状態に戻した際に、吐出孔の内部に戻りきらなかった内容液が、ノズル筒の外周面を伝ってキャップの天面部や、キャップの外周部分まで液垂れすることで、これらの天面部や外周部分を汚すことになる。またキャップの外周部分に液垂れした内容液によって、次に吐出させる操作を行なう際に、容器を持つ手を汚すことになり易い。
【０００６】
これに対して、キャップの天面部から突出するノズル筒を囲んで、天面部の周縁部分から立設する環状の外周壁部を設けることで、天面部に液垂れした内容液を外周壁部の内側に液溜めし、又は外周壁部の形状により容器本体の内部に回収することによって、天面部まで液垂れした内容液が、キャップの外周部分には至らないようにした吐出ノズル付きキャップも開発されている（例えば、特許文献２参照）。
【０００７】
しかしながら、天面部に液垂れした内容液を外周壁部の内側に液溜めできるようにした従来の吐出ノズル付きキャップでは、外周壁部の内側に液溜めされた内容液は、次に内容液を吐出させるために吐出容器を傾倒させた際に、回収しきれなかった内容液が外周壁部を越流して下方に排除されることになるが、特に、液溜めされた内容液が粘性の高いものであると、外周壁部を越流した内容液は、下方に落下することなく、外周壁の外周側に回り込むと共に外周部分を伝って流れることで、キャップの外周部分に付着して、キャップや容器を持つ手を汚し易くなる。
【０００８】
本発明は、キャップの天面部に液溜めされた内容液が、次に内容液を吐出させる際に、キャップの外周部分を伝って流れることでキャップの外周部分に付着して、キャップや容器を持つ手を汚し易くなるのを効果的に回避できる吐出ノズル付きキャップに関する。
【課題を解決するための手段】
【０００９】
本発明は、吐出ノズル部を備えており、容器本体の口首部に取り付けて用いられる吐出ノズル付きキャップであって、前記吐出ノズル部は、吐出孔が形成された天面部と、該天面部の周囲を囲む外周壁部とを備えると共に、前記容器本体の口首部の先端開口を覆う開口閉塞部に設けられており、前記吐出孔は、前記外周壁部の先端よりも高い位置に先端吐出口を開口させており、前記天面部の外周縁部は、前記外周壁部に、当該外周壁部の先端よりも低い位置において連続していることで、前記外周壁部における前記天面部の外周縁部よりも高くなっている部分が、液溜め壁を形成しており、前記外周壁部の外周面には、好ましくは前記外周壁部の先端から離間して、周方向に延設するフランジが、外側に突出して設けられている吐出ノズル付きキャップを提供するものである。
【００１０】
また、本発明は、上記の吐出ノズル付きキャップが、容器本体の口首部に装着されている吐出ノズル付き容器を提供するものである。
【００１１】
さらに、本発明は、上記の吐出ノズル付き容器に、内容液が収容されている容器製品を提供するものである。
【発明の効果】
【００１２】
本発明の吐出ノズル付きキャップ、吐出ノズル付き容器又は容器製品によれば、キャップの天面部に液溜めされた内容液が、次に内容液を吐出させる際に、キャップの外周部分を伝って流れることでキャップの外周部分に付着して、キャップや容器を持つ手を汚し易くなるのを効果的に回避することができる。
【図面の簡単な説明】
【００１３】
【図１】本発明の好ましい一実施形態に係る吐出ノズル付きキャップが取り付けられた吐出ノズル付き容器の斜視図である。
【図２】本発明の好ましい一実施形態に係る吐出ノズル付きキャップの斜視図である。
【図３】本発明の好ましい一実施形態に係る吐出ノズル付きキャップの、（ａ）は正面図、（ｂ）は側面図である。
【図４】（ａ）は、図３（ｂ）のＡ−Ａに沿った断面図、（ｂ）は、図３（ａ）のＢ−Ｂに沿った断面図である。
【図５】本発明の好ましい一実施形態に係る吐出ノズル付きキャップのキャップ本体が取り付けられた吐出ノズル付き容器から、内容液を吐出させている状態を説明する平面図である。
【図６】（ａ）、（ｂ）は、次に内容液を吐出させる際に、液溜めされた内容液を排除する状況を説明する要部部分断面図である。
【図７】本発明の好ましい他の実施形態に係る吐出ノズル付きキャップが取り付けられた吐出ノズル付き容器の斜視図である。
【発明を実施するための形態】
【００１４】
本発明の好ましい一実施形態に係る吐出ノズル付きキャップ１０は、図１に示すように、吐出ノズル付き容器として、好ましくはスクイズ容器２０の容器本体２２の口首部２１（図６（ａ）、（ｂ）参照）に着脱可能に一体として装着して用いられて、容器本体２２と共にスクイズ容器２０を形成している。吐出ノズル付き容器であるスクイズ容器２０は、合成樹脂製のボトル形状の容器となっており、内容液として例えば浴室清掃用の液体洗剤が収容されていることで、容器製品として販売されるようになっている。スクイズ容器２０は、例えば容器本体２２の胴部２２ａを把持して傾倒させた状態で、胴部２２ａを挟み込むようにして押圧することによりスクイズ変形させながら、内部に圧力を加えることによって、吐出ノズル付きキャップ１０の開口閉塞部１１に設けられた吐出ノズル部１９に形成された、複数の吐出孔１２から、被吐出箇所に向けて内容液を吐出できるようになっている（図５参照）。吐出ノズル付きキャップ１０は、後述するオーバーキャップ５０との関係では、キャップ本体を構成している。
【００１５】
本実施形態の吐出ノズル付きキャップ１０は、吐出ノズル部１９に複数の吐出孔１２を備えており、これらの吐出孔１２の先端吐出口１２ａから各々線状に連続吐出される内容液が重なり合うのを回避しつつ、広い面積の吐出箇所に対して、内容液を広い吐出幅Ｂ（図５参照）で効率良く吐出できるようにする機能を備えている。また本実施形態の吐出ノズル付きキャップ１０は、内容液を吐出させる操作を行った後に、吐出を終了してスクイズ容器２０を正立状態に戻した際に、吐出孔１２の内部に戻りきらなかった内容液が、ノズル筒である後述する外方突出スリーブ部１５の外周面を伝ってキャップ１０の天面部１９ｂに至っても、天面部１９ｂに液溜めすることで、キャップ１０の外周部分まで液垂れしないようにする機能を備えると共に、次に吐出させる操作を行なう際に、液溜めした内容液が、天面部１９ｂからキャップ１０の外周部分に廻り込んでも、キャップ１０の外周部分を伝って流れないようにすることで、キャップ１０の外周部分に内容液が付着してキャップ１０や容器２０を持つ手を汚し易くなるのを、回避できるようにする機能を備えている（図６（ａ）、（ｂ）参照）。
【００１６】
そして、本実施形態の吐出ノズル付きキャップ１０は、吐出ノズル部１９を備えており、吐出容器として例えばスクイズ容器２０の容器本体２２の口首部２１に取り付けて用いられるキャップであって、図２〜図４（ａ）、（ｂ）に示すように、吐出ノズル部１９は、吐出孔１２が形成された天面部１９ｂと、天面部１９ｂの周囲を囲む外周壁部１９ａとを備えると共に、容器本体２２の口首部２１の先端開口２１ａを覆う開口閉塞部１１に設けられている。吐出孔１２は、外周壁部１９ａの先端よりも高い位置に先端吐出口１２ａを開口させており、天面部１９ｂの外周縁部は、外周壁部１９ａに、当該外周壁部１９ａの先端よりも低い位置において連続していることで、外周壁部１９ａにおける天面部１９の外周縁部よりも高くなっている部分が、液溜めするよう機能する液溜め壁を形成している。外周壁部１９ａの外周面には、好ましくは外周壁部１９ａの先端から離間して、周方向に連続するフランジ２６が、外側に突出して設けられている。本実施形態では、フランジ２６は、好ましくは外周壁部１９ａの周方向に環状に連続して設けられている。
【００１７】
また、本実施形態では、天面部１９ｂの外周縁部の外周壁部１９ａに連続する最も低い位置に線状円環状領域１９ｅを有している（図２、図４（ｂ）参照）。線状円環状領域から連続する外周壁部１９ａは、線状円環状領域１９ｅから外周壁部１９ａの頂部に向かって徐々に高くなる傾斜面１９ｆを備えている（図２、図４（ｂ）参照）。
【００１８】
また、本実施形態では、開口閉塞部１１の外周面には、フランジ２６よりも容器本体２２側に、吐出ノズル部１９を覆うオーバーキャップ５０（図１参照）を着脱可能に螺着させるための、雄ネジ凸条１８ａが設けられている。本実施形態では、フランジ２６よりも容器本体２２側に、外周壁部１９ａより大きな外径を備える円筒状基部１８を有しており、この円筒状基部１８に、雄ネジ凸条１８ａが設けられている。
【００１９】
本実施形態では、スクイズ容器２０の容器本体２２は、図１に示すように、例えば高分子化合物等の合成樹脂として、好ましくはポリプロピレン（ＰＰ）、高密度ポリエチレン（ＨＤＰＥ）、直鎖低密度ポリエチレン（Ｌ−ＬＤＰＥ）、またはこれらとエラストマーとをブレンドした樹脂等からなるボトル形状を有するブロー成形品であって、胴部２２ａが弾性変形可能な可撓性を備えていることで、押圧変形（スクイズ変形）可能な容器となっている。また、スクイズ容器２０の容器本体２２は、押圧後にその弾性変形性により、元の形状に復元することが好ましい。スクイズ容器２０の容器本体２２は、胴部２２ａと、口首部２１と、底部２３とからなり、底部２３を載置面に載置することで、スクイズ容器２０や容器製品を、立設させた状態で店頭に陳列したり、家庭内で保管したりできるようになっている。容器本体２２の胴部２２ａは、上部が滑らかに縮径した、直径が例えば３０〜１００ｍｍ程度の大きさの中空の略円筒形状を有しており、片手で把持して、押圧操作を容易に行うことができるようになっている。
【００２０】
胴部２２ａの縮径した上部から、肩部２２ｂ（図６（ａ）、（ｂ）参照）を介して先端側に突出して、口首部２１が設けられている。この口首部２１の先端開口面２１ａを開口閉塞部１１によって覆うようにして、吐出ノズル付きキャップ１０が、口首部２１に着脱可能に取り付けられている。スクイズ容器２０の容器本体２２の口首部２１の先端開口面２１ａは、直径が例えば１０ｍｍ〜１００ｍｍ程度の大きさとなっていることが好ましく、２０ｍｍ〜７０ｍｍ程度の大きさとなっていることが更に好ましい。なお、容器本体２２の胴部２２ａの形状については特に制限はなく、円形の断面形状を備えているものの他、長円、楕円、長方形等の断面形状を備えていても良い。
【００２１】
なお、本明細書において、吐出ノズル付きキャップ１０やスクイズ容器２０における下方や下部は、容器本体２２の底部２３側の部分を示し、上方や上部は、下方や下部の逆方向の部分を示す。これらの上／下は、吐出ノズル付きキャップ１０やスクイズ容器２０を使用する際の姿勢とは無関係である。
【００２２】
容器本体２２と共にスクイズ容器２０を構成する吐出ノズル付きキャップ１０は、図２〜図４（ａ）、（ｂ）に示すように、例えば高分子化合物等の合成樹脂として、好ましくＰＰ、ＨＤＰＥ、低密度ポリエチレン（ＬＤＰＥ）、Ｌ−ＬＤＰＥ等からなる射出成形品であって、容器本体２２の口首部２１（図６（ａ）、（ｂ）参照）に取り付けるための装着筒状部１７を備えている。装着筒状部１７の肩部１７ａから立設して、容器本体２２の口首部２１の先端開口面２１ａを閉塞する開口閉塞部１１が設けられている。吐出ノズル付きキャップ１０は、開口閉塞部１１と装着筒状部１７とを含んで構成されている。
【００２３】
吐出ノズル付きキャップ１０の装着筒状部１７は、スクイズ容器２０の口首部２１の外径と同様の内径を備えており、先端部から径方向内側に環状に連続して張り出して、開口閉塞部１１との接続部となる肩部１７ａａが形成されている。装着筒状部１７の内周面には、雌ネジ凸条１７ｂが設けられている（図４（ａ）、（ｂ）参照）。この雌ネジ凸条１７ｂを、スクイズ容器２０の口首部２１の外周面に設けられた雄ネジ突条２１ｂ（図６（ａ）、（ｂ）参照）に螺着することによって、吐出ノズル付きキャップ１０を、スクイズ容器２０の容器本体２２の口首部２１に締着固定できるようになっている。
【００２４】
吐出ノズル付きキャップ１０を容器本体２２の口首部２１に締着した状態では、装着筒状部１７の内側面と、肩部１７ａの内側縁部から容器本体２２側に延設して環状に設けられたプラグシール１７ｃとの間に、口首部２１の先端部が挟み込まれるようになっており、また口首部２１の先端が肩部１７ａの下面に当接するようになっている。装着筒状部１７の外周面には、好ましくは線状の凹凸を周方向に連続させたローレット加工１７ｄが施されている。ローレット加工１７ｄによる滑り止め機能によって、吐出ノズル付きキャップ１０を容器本体２２の口首部２１に着脱する操作を、さらに容易に行うことが可能になると共に、容器の外観にローレット加工１７ｄによるアクセントを加えることによって、スクイズ容器２０の全体の意匠性を一層向上させることが可能になる。
【００２５】
吐出ノズル付きキャップ１０の開口閉塞部１１は、容器本体２２の口首部２１の先端開口２１ａを覆って配置される部分であって、本実施形態では、円筒状基部１８と、円筒状基部１８の先端部から先端側に突出して設けられた、吐出ノズル部１９とを含んで構成されている。開口閉塞部１１の吐出ノズル部１９に、吐出孔１２が、開口閉塞部１１の直径方向Ｘに列状に並べて配置されて、３箇所に形成されている。
【００２６】
円筒状基部１８は、装着筒状部１７の肩部１７ａの内側縁部から立設して一体として設けられた、装着筒状部１７の外径よりも小さな外径を有する円筒状の部分となっている。円筒状基部１８の内周面は、装着筒状部１７に設けられたプラグシール１７ｃの内周面と、面一になるように形成されており（図６（ａ）、（ｂ）参照）、また外周面には、オーバーキャップ５０（図１参照）を螺着させる雄ネジ凸条１７ａが設けられている。
【００２７】
吐出ノズル部１９は、円筒状基部１８の先端部から立設する外周壁部１９ａと、外周壁部１９ａよって周囲を囲まれて、これの先端部に一体として設けられた天面部１９ｂとを含んで形成されている。吐出ノズル部１９の外周壁部１９ａは、円筒状基部１８の外径よりも僅かに小さな外径を備える、高さが低い円筒状の部分であって、円筒状基部１８と同心状に配置されることで、円筒状基部１８との間に、これらの境界部分である段差部１９ｃが形成されている。外周壁部１９ａは、天面部１９ｂの外周縁部よりも高い位置まで立設しており、これによって外周壁部１９ａにおける天面部１９ｂの外周縁部よりも高くなっている部分が、液溜め壁を形成している。
【００２８】
また、本実施形態では、外周壁部１９ａの外周面には、外周壁部１９ａの先端から、好ましくは０．１〜１０ｍｍ程度離間して、好ましくは周方向に連続するフランジ２６が、外側に突出して設けられている。本実施形態では、フランジ２６は、例えば外側への突出高さが０．５〜５ｍｍ、外周壁部１３ａの立設方向の高さが０．１〜３ｍｍ程度の大きさの、矩形状又は５角形状の断面形状を備えるフランジとして、好ましくは外周壁部１９ａの先端と平行な面に沿って周方向に環状に連続して延設すると共に、外周壁部１９ａの外周面から外側に突出して設けられている。フランジ２６は、後述するように、次に内容液を吐出させるためにスクイズ容器２０を傾倒させた際に、天面部１９ｂに液溜めされた内容液が外周壁部１９ａを越流して、外周壁部１９ａの外周部分に回り込んでも、回り込んだ内容液を水切りして下方に落下させることで、外周部分を伝ってさらに流れようとするのを阻止する、水切り用のフランジとして機能するようになっている。ここで内容液を水切りして落下させる下方は、重力方向の下方である。
【００２９】
また、フランジ２６は、外周壁部１９ａにおいて、天面部１９ｂの外周縁部が接続する高さ位置よりも、容器本体２２側に設けられていることが好ましい。これによって、次に内容液を吐出させるためにスクイズ容器２０を傾倒させた際に、外周壁部１９ａによる液溜め壁を越流して回り込んだ内容液をフランジ２６に導いて、フランジ２６により水切りして容易に下方に落下させることが可能になると共に、回り込んだ内容液によって手や雄ネジ凸条１８ａを汚すことになるのを、効果的に回避することが可能になる。フランジ２６は、例えば外周壁部１９ａの先端側又は基端側の角部に、直角又は鋭角に尖ったエッジ状の角部を備えていることが好ましい。これによって、外周壁部１９ａによる液溜め壁を越流して回り込んだ内容液を、フランジ２６によって、さらに効果的に水切りして下方に落下させることが可能になる。
【００３０】
本実施形態では、吐出ノズル部１９の天面部１９ｂは、外周壁部１９ａの先端部の開口を閉塞するようにして、外周壁部１９ａに一体として設けられた、円形の平面形状を有すると共に、中央部分が盛り上がった立体形状を備える板状の部分となっている。天面部１９ｂは、外周縁部を外周壁部１９ａの先端よりも一段低い位置に配置して形成されている。天面部１９ｂは、開口閉塞部１１の直径方向Ｘに沿って延設する帯状先端面１９ｄを有している。帯状先端面１９ｄは、開口閉塞部１１の直径方向Ｘに沿った縦断形状が、上方に向けて凸に湾曲していることで、湾曲凸面となっている。帯状先端面１９ｄは、両側の外周壁部１９ａに近接する部分を除いた、中央部分を含む殆どの部分を、外周壁部１９ａよりも上方に突出させて設けられている。帯状先端面１９ｄの両側の側方領域には、なだらかに凹状に湾曲する湾曲凹面が形成されており、これによって天面部１９ｂの外周縁部は、外周壁部１９ａに、当該外周壁部１９ａの先端よりも一段低い位置において連続している。
【００３１】
また、帯状先端面１９ｄには、これの中央部分及び中央部分を挟んだ両側の合計３箇所に、外方突出スリーブ部１５が、先端側（外方）に突出して、開口閉塞部１１及び天面部１９ｂの直径方向Ｘに沿って列状に配置されて設けられている。これらの３箇所の外方突出スリーブ部１５の容器本体２２側に連続させるようにして、内方突出スリーブ部１６が、容器本体２２側（内方）に突出して、開口閉塞部１１及び天面部１９ｂの直径方向Ｘに沿って列状に配置されて３箇所に設けられている。外方突出スリーブ部１５及び内方突出スリーブ部１６を貫通させると共に、吐出ノズル部１９の天面部１９ｂの一部を構成する、帯状先端面１９ｄを貫通させることで、これらの貫通孔が連続する吐出孔１２が、好ましくは相当の流路長さを備える吐出流路として形成されている。これによって吐出孔１２は、開口閉塞部１１の帯状先端面１９ｄの中央部分及び両側の３箇所に、複数の吐出孔１２として、開口閉塞部１１及び天面部１９ｂの直径方向Ｘに沿って列状に並べて配置されて設けられることになる。
【００３２】
本実施形態では、開口閉塞部１１の帯状先端面１９ｄに設けられた３箇所の吐出孔１２は、先端吐出口１２ａが外方突出スリーブ部１５の先端部に設けられており、先端吐出口１２ａの開口周縁部１２ｂは、好ましくは、口首部２１の先端開口面２１ａ（図６（ａ）、（ｂ）参照）と平行なフラットな面上に配置されている。また、３箇所の吐出孔１２の先端吐出口１２ａは、例えば０．５〜１０ｍｍ程度のキャップ１０の中心軸Ｚ1方向の高低差ｈ1（図４（ａ）参照）で、開口閉塞部１１及び天面部１９ｂの直径方向Ｘの中心側に配置される中心側吐出孔（本実施形態では、中央の吐出孔）１２’の先端吐出口１２ａの方が、直径方向Ｘの外側に配置される外側吐出孔（本実施形態では、両端部の吐出孔）１２の先端吐出口１２ａよりも、例えば口首部２１の先端開口面２１ａからの高さが高くなるように形成されている。さらに、本実施形態では、好ましくは、３箇所の吐出孔１２の先端吐出口１２ａの開口周縁部１２ｂに、各々、環状に連続するコンタクトリング１２ｃが突出して設けられている。
【００３３】
また、本実施形態では、開口閉塞部１１及び天面部１９ｂの直径方向Ｘの両端部に配置される外側吐出孔１２は、これらの吐出先端部の先端部中心軸１２ｄ（図４（ａ）参照）が、吐出方向Ｚ（図５参照）に向けて開口閉塞部１１及び天面部１９ｂの直径方向Ｘ外側に、傾斜した状態で形成されている。これによって、複数の吐出孔１２の先端吐出口１２ａから各々線状に連続吐出される内容液を重なり合わせることなく、全体の吐出幅Ｂ（図５参照）が広がるようにして、広い面積の吐出箇所に対して内容液を効率良く吐出させることのできるようになっている。
【００３４】
吐出ノズル付きキャップ１０の吐出ノズル部１９を覆って着脱可能に装着されるオーバーキャップ５０（図１参照）は、好ましくは吐出ノズル付きキャップ１０を形成する合成樹脂とは異なる弾性率の合成樹脂を用いて形成される射出成形品である。オーバーキャップ５０は、吐出ノズル付きキャップ１０を形成する合成樹脂よりも弾性率が大きく、ひずみが小さな合成樹脂を用いて形成することが、より好ましい。これによって、オーバーキャップ１５を吐出ノズル付きキャップ１０に締着した際に、オーバーキャップ５０の内周面の、吐出ノズル付きキャップ１０に形成された複数の吐出孔１２の各々の開口周縁部１２ｂとの密着性を、向上させることが可能になる。オーバーキャップ１５を形成する合成樹脂として、例えばポリプロピレン、ポリエチレン（ＰＥ、ＨＤＰＥ、ＬＤＰＥ、Ｌ−ＬＤＰＥ）、ポリエチレンテレフタレート等を好ましく用いることができる。吐出ノズル付きキャップ１０を形成する合成樹脂として、上述のように、例えばポリプロピレン、ポリエチレン（ＰＥ、ＨＤＰＥ、ＬＤＰＥ、Ｌ−ＬＤＰＥ）等を好ましく用いることができる。さらに、オーバーキャップ５０を形成する合成樹脂よりも、吐出ノズル付きキャップ１０を形成する合成樹脂を柔らかくすることが好ましい。オーバーキャップ５０を形成する合成樹脂をポリプロピレンとし、吐出ノズル付きキャップ１０を形成する合成樹脂をポリエチレン（ＰＥ、ＨＤＰＥ、ＬＤＰＥ、Ｌ−ＬＤＰＥ）とすることがより好ましい。例えば、本実施形態では、オーバーキャップ５０にポリプロピレンを、吐出ノズル付きキャップ１０にＬ−ＬＤＰＥを用いている。オーバーキャップ５０を形成する合成樹脂の弾性率は、１０００〜３０００Ｍｐａとすることが好ましく、吐出ノズル付きキャップ１０を形成する合成樹脂の弾性率は、１００〜５００Ｍｐａとすることが好ましい。
【００３５】
オーバーキャップ５０は、天面部５０ａと円筒部５０ｂとの接続角部分５０ｅが湾曲形状に面取りされた、有天の円筒形状を備えるキャップ部材となっている。オーバーキャップ５０の円筒部５０ｂの内側壁面には、雌ネジ凸条（図示せず）が形成されており、この雌ネジ凸条を、吐出ノズル付きキャップ１０の円筒状基部１８の外周面に形成された雄ネジ凸条１８ａに螺着することによって、オーバーキャップ５０を、吐出ノズル部１９を覆って吐出ノズル付きキャップ１０に締着固定できるようになっている。また、オーバーキャップ５０の円筒部５０ｂの外周面には、好ましくは線状の凹凸を周方向に連続させたローレット加工５０ｄが施されている（図１参照）。ローレット加工５０ｄによる滑り止め機能によって、オーバーキャップ５０を吐出ノズル付きキャップ１０の開口閉塞部１１の円筒状基部１８に着脱する操作を、さらに容易に行うことが可能になると共に、容器の外観にローレット加工５０ｄによるアクセントを加えることによって、吐出ノズル付きキャップ１０の装着筒状部１７の外周面に施されたローレット加工１７ｄと共に、スクイズ容器２０の全体の意匠性を一層向上させることが可能になる。
【００３６】
オーバーキャップ５０の天面部５０ａは、円筒部５０ｂとの接続角部分５０ｅの内側に連接して配置された円環状平坦部５０ｆと、円環状平坦部５０ｆによって囲まれる天面部５０ａの中央部分において、湾曲接続傾斜部５０ｈを介して円環状平坦部５０ｆよりも一段高い位置に配置された、円形マウンド部５０ｇとを含んで形成されている。円環状平坦部５０ｆ及び円形マウンド部５０ｇの下面には、複数（３箇所）の吐出孔１２の先端吐出口１２ａの開口周縁部１２ｂと同時に密着可能な封止面部を構成する、オーバーキャップ５０の中心軸と垂直で互いに平行な仮想の封止面上に配置され、且つ同心状に配置された、径方向内側の円形密着面（図示せず）と径方向外側の円環状密着面（図示せず）とが形成されている。これにより、スクイズ容器２０の非使用時に、簡易な構成によって、吐出ノズル部１９に形成された複数（３箇所）の吐出孔１２をオーパーキャプ５０を用いて同時に封止して、複数（３箇所）の吐出孔１２から液漏れが生じるのを効果的に回避できるようになっている。
【００３７】
上述の構成を備える本実施形態の吐出ノズル付きキャップ１０は、容器本体２２の口首部２１に着脱可能に取り付けられて、容器本体２２と共にスクイズ容器２０を形成する（図１参照）。スクイズ容器２０は、オーバーキャップ５０を取り外し、例えば容器本体２２の胴部２２ａを把持して傾倒させた状態で、胴部２２ａを挟み込むようにして押圧することによりスクイズ変形させながら、内部に圧力を加える。これによって、図５に示すように、吐出ノズル付きキャップ１０の開口閉塞部１１に設けられた吐出ノズル部１９に形成された、複数の吐出孔１２から、被吐出箇所に向けて内容液を吐出できるようになっている。吐出ノズル付きキャップ１０の開口閉塞部１１の直径方向Ｘの両端部に配置される吐出孔１２は、これらの吐出先端部の先端部中心軸１４ｄが、吐出方向Ｚに向けて開口閉塞部１１の直径方向Ｘ外側に、傾斜した状態で形成されているので（図４（ａ）参照）、複数の吐出孔１２の先端吐出口１２ａから各々線状に連続吐出される内容液を重なり合わせることなく、全体の吐出幅Ｂが広がるようにして、広い面積の吐出箇所に対しても内容液を効率良く吐出させることが可能なる（図５参照）。
【００３８】
本実施形態では、スクイズ容器２０の容器本体２２の胴部２２ａをスクイズ変形させながら、吐出ノズル部１９から所定量の内容液を吐出させた後に、吐出を終了してスクイズ容器２０を正立状態に戻した際に、吐出孔１２の内部に戻りきらなかった内容液が、外方突出スリーブ部１５の外周面を伝って吐出ノズル部１９の天面部１９ｂまで液垂れして、図６（ａ）に示すように、液溜め壁を形成する外周壁部１９ａによって囲まれる内側部分の天面部１９ｂの上に液溜めされる。液溜めされた内容液は、容器本体２２の胴部２２ａを把持して、次に内容液を吐出させるために吐出容器を再び傾倒させた際に、図６（ｂ）に示すように、外周壁部１９ａを越流させて下方に排除されることになる。
【００３９】
そして、上述の構成を備える本実施形態の吐出ノズル付きキャップ１０によれば、キャップ１０の天面部１９ｂに液溜めされた内容液が、次に内容液を吐出させる際に、キャップ１０の外周部分を伝って流れることでキャップの外周部分に付着して、キャップ１０やスクイズ容器２０を持つ手を汚し易くなるのを、効果的に回避することが可能になる。
【００４０】
すなわち、本実施形態によれば、吐出ノズル付きキャップ１０は、吐出ノズル部１９の天面部１９ｂの外周縁部が、外周壁部１９ａに、当該外周壁部１９ａの先端よりも低い位置において連続していることで、外周壁部１９ａにおける天面部１９ｂの外周縁部よりも高くなっている部分が、液溜め壁を形成しており、外周壁部１９ａの外周面には、好ましくは外周壁部１９ａの先端から離間して、周方向に延設するフランジ２６が、外側に突出して設けられている。
【００４１】
したがって、本実施形態の吐出ノズル付きキャップ１０によれば、内容液の吐出を終了してスクイズ容器２０を正立状態に戻した際に、吐出孔１２の内部に戻りきらなかった内容液が外方突出スリーブ部１５の外周面を伝って液垂れしても、液垂れした内容液を、外周壁部１９ａの内側の天面部１９ｂに液溜めすることが可能になる。また、次の内容液の吐出時に、スクイズ容器２０を傾倒させて液溜めされた内容液を下方に排除する際に、図６（ｂ）に示すように、外周壁部１９ａを越流した内容液が、下方に落下することなく、外周壁部１９ａの外周部分に廻り込んで、外周部分を伝って流れようとしても、廻り込んだ内容液は、一段高くなったフランジ２６の部分で外周部分を伝う流れが遮断され、水切りされることにより下方に落下することになる。これによって、本実施形態によれば、キャップ１０の外周部分を伝って、液垂れした内容液がフランジ２６を超えて流れないようにして、キャップの外周部分に内容液が付着しないようにすることにより、キャップ１０やスクイズ容器２０を持つ手が汚れ易くなるのを、効果的に回避することが可能になる。
【００４２】
また、本実施形態では、天面部１９ｂの外周縁部の外周壁部１９ａに連続する最も低い位置に線状円環状領域１９ｅを有しており、外周壁部１９ａは、線状円環状領域１９ｅから外周壁部１９ａの頂部に向かって徐々に高くなる傾斜面１９ｆを備えていることから、スクイズ容器２０を傾倒させた際に、天面部１９ｂに液溜めされた内容液を、天面部１９ｂから排出させやすい。また、天面部１９ｂに残存する内容液を拭き取りやすい。
【００４３】
また、本実施形態では、開口閉塞部１１の外周壁部１９ａの外周面に設けられたフランジ２６よりも容器本体２２側に、吐出ノズル部１９を覆うオーバーキャップ５０を着脱可能に螺着させるための、雄ネジ凸条１８ａが設けられているが、液垂れした内容液は、フランジ２６により遮断されて雄ネジ凸条１８ａまで至らないようになっているので、オーバーキャップ５０を着脱する際に手や指が汚れ易くなったり、オーバーキャップ５０の着脱操作に支障を生じるのを、効果的に回避することが可能になる。
【００４４】
図７は、本発明の好ましい他の実施形態に係る吐出ノズル付きキャップ１０’が取り付けられた、吐出ノズル付き容器であるスクイズ容器２０’を示すものである。図７に示す吐出ノズル付きキャップ１０’が取り付けられたスクイズ容器２０’は、吐出ノズル部１９の天面部１９ｂ’における形態が、図１に示すスクイズ容器２０のものと相違している。図７に示すスクイズ容器２０’では、図１に示すスクイズ容器２０と異なる構成部分について主として説明し、同様の構成部分については同一の符号を付して説明を省略する。特に言及しない構成部分については、図１に示すスクイズ容器２０に関する説明が適宜適用される。
【００４５】
すなわち、図７に示す吐出ノズル付きキャップ１０’が取り付けられたスクイズ容器２０’では、吐出ノズル付きキャップ１０’の天面部１９ｂ’は、開口閉塞部１１の直径方向Ｘに沿って延設する帯状先端面１９ｄ’を有していると共に、帯状先端面１９ｄ’に、複数の吐出孔１２が開口閉塞部１１の直径方向Ｘに沿って列状に配置されており、帯状先端面１９ｄ’は、吐出方向Ｚ（図５参照）に向けて凸に湾曲する湾曲凸面となっている。また、図７に示す吐出ノズル付きキャップ１０’が取り付けられたスクイズ容器２０’では、オーバーキャップ５０’の先端部分をドーム状に湾曲させると共に、先端部分の内側面を、複数の吐出孔１２の開口周縁部が配置されている帯状先端面１９ｄ’の湾曲凸面の曲率半径と、同様の曲率半径で湾曲させた、ドーム状の湾曲内周面としている。これによって、オーバーキャップ５０’が吐出ノズル付きキャップ１０’に装着された際に、オーバーキャップ５０’の先端部分の内側面が、帯状先端面１９ｄ’の湾曲凸面に沿って配置された複数の吐出孔１２の各々の開口周縁部に同時に密着することを可能にして、これらの吐出孔１２の先端吐出口１２ａを同時に封止できるようになっている。
【００４６】
図７に示す吐出ノズル付きキャップ１０’によっても、吐出ノズル部１９の天面部１３ｂ’の外周縁部が、外周壁部１９ａに、当該外周壁部１９ａの先端よりも低い位置において連続していることで、外周壁部１９ａにおける天面部１９ｂ’の外周縁部よりも高くなっている部分が、液溜め壁を形成しており、外周壁部１３ａの外周面には、好ましくは外周壁部１９ａの先端から離間して、周方向に延設するフランジ２６が、外側に突出して設けられているので、上記の実施形態の吐出ノズル付きキャップ１０と同様の作用効果が奏される。
【００４７】
なお、本発明は上記実施形態に限定されることなく種々の変更が可能である。例えば、開口閉塞部の外周壁部の外周面に設けられたフランジよりも容器本体側に、雄ネジ凸条が設けられている必要は必ずしも無く、フランジよりも容器本体側に、外周壁部よりも大きな外径を備える円筒状基部を備えている必要は必ずしも無い。吐出ノズル部の天面部に形成された吐出孔は、複数形成されている必要は必ずしも無く、１箇所にのみ形成されていても良い。複数の吐出孔が形成されている場合、複数の吐出孔は、列状に配置されていなくても良い。吐出ノズル付きキャップが取り付けられる容器本体は、スクイズ容器の容器本体である必要は必ずしも無く、その他の種々の吐出容器の容器本体であっても良い。吐出孔の先端吐出口は、外方突出スリーブ部の先端部に設けられていなくても良い。
【００４８】
また、フランジは、外周壁部の周方向に環状に連続して外周壁部に設けられている必要は必ずしも無く、周方向に断続的に延設していたり、内容液を吐出させる際に容器を傾倒させる方向が特定されているような場合には、傾倒させる方向の部分にのみ、周方向に延設させて外周壁部の外周面に設けることもできる。フランジは、外周壁部の先端から離間して、外周壁部の外周面に設ける必要は必ずしも無く、外周壁部の先端部において、外周壁部の外周面から外側に突出させて設けることもできる。
【符号の説明】
【００４９】
１０，１０’  吐出ノズル付きキャップ
１１  開口閉塞部
１２  吐出孔
１２ａ  先端吐出口
１５  外方突出スリーブ部
１６  内方突出スリーブ部
１７  装着筒状部
１８  円筒状基部
１９  吐出ノズル部
１９ａ  外周壁部
１９ｂ，１９ｂ’  天面部
１９ｄ，１９ｄ’  帯状先端面
１９ｅ  線状円環状領域
１９ｆ  傾斜面
２０，２０’  スクイズ容器
２１  口首部
２１ａ  先端開口面
２２  容器本体
２２ａ  胴部
２６  フランジ
Ｂ  吐出幅
Ｚ  吐出方向
Ｘ  開口閉塞部の直径方向
【図１】
2019104512.tif 000003
【図２】
2019104512.tif 000004
【図３】
2019104512.tif 000005
【図４】
2019104512.tif 000006
【図５】
2019104512.tif 000007
【図６】
2019104512.tif 000008
【図７】
2019104512.tif 000009